(57)【要約】【課題】記録処理時と再生処理時との間の、表示装置に表示された画像データの色再現の差異を低減することのできる技術を提供する。【解決手段】本発明の撮像装置は、撮像手段と、撮像データを第１の表示用の画像データに変換する第１変換手段と、撮像データを保存用の画像データに変換する第２変換手段と、撮像装置に接続された表示装置である接続表示装置に第１の表示用の画像データを表示しながら、保存用の画像データを記憶部に記録する記録処理と、記憶部に記録された保存用の画像データを接続表示装置に表示する再生処理とを行う処理手段と、を有し、処理手段は、再生処理として、接続表示装置に表示したときの色再現が第１の表示用の画像データと一致するように、保存用の画像データを第２の表示用の画像データに変換し、当該第２の表示用の画像データを接続表示装置に表示する処理を行う。【選択図】図１
2014216876.tif 000002
【特許請求の範囲】
【請求項１】
表示装置と接続可能な撮像装置であって、
撮像によって撮像データを生成する撮像手段と、
前記撮像データを第１の表示用の画像データに変換する第１変換手段と、
前記撮像データを保存用の画像データに変換する第２変換手段と、
前記撮像装置に接続された表示装置である接続表示装置に第１の表示用の画像データを表示しながら、保存用の画像データを記憶部に記録する記録処理と、前記記憶部に記録された保存用の画像データを前記接続表示装置に表示する再生処理とを行う処理手段と、
を有し、
保存用の画像データと、第１の表示用の画像データとは、フォーマットが互いに異なり、
前記処理手段は、前記再生処理として、前記接続表示装置に表示したときの色再現が第１の表示用の画像データと一致するように、保存用の画像データを第２の表示用の画像データに変換し、当該第２の表示用の画像データを前記接続表示装置に表示する処理を行うことを特徴とする撮像装置。
【請求項２】
保存用の画像データと、第１の表示用の画像データとは、色再現範囲、色空間、及び、階調特性の少なくともいずれかが互いに異なる
ことを特徴とする請求項１に記載の撮像装置。
【請求項３】
保存用の画像データから第２の表示用の画像データへの変換は、変換パラメータ保存用の画像データの画素値と、第２の表示用の画像データの画素値との対応関係に関する情報を用いて行われるものであり、
前記対応関係に関する情報を取得する取得手段をさらに有し、
前記処理手段は、前記取得手段で取得された前記情報を用いて、保存用の画像データを第２の表示用の画像データに変換する
ことを特徴とする請求項１または２に記載の撮像装置。
【請求項４】
前記対応関係は、表示装置に依存するものであり、
前記取得手段は、前記対応関係に関する情報を前記接続表示装置から取得する
ことを特徴とする請求項３に記載の撮像装置。
【請求項５】
前記処理手段は、
前記記録処理において、保存用の画像データを前記記憶部に記録する記録手段と、
前記記録処理において、第１の表示用の画像データを前記接続表示装置に表示し、前記再生処理において、保存用の画像データを第２の表示用の画像データに変換し、当該第２の表示用の画像データを前記接続表示装置に表示する表示手段と、
を有する
ことを特徴とする請求項１〜４のいずれか１項に記載の撮像装置。
【請求項６】
前記表示手段は、
保存用の画像データを第２の表示用の画像データに変換する表示用変換処理を画像データに施す表示用変換手段と、
画像データを前記接続表示装置に表示する画像表示手段と、
を有し、
前記記録処理において、前記画像表示手段は、前記表示用変換手段で前記表示用変換処理が施される前の第１の表示用の画像データを取得し、当該第１の表示用の画像データを前記接続表示装置に表示し、
前記再生処理において、前記画像表示手段は、前記表示用変換手段で前記表示用変換処
理が施された後の保存用の画像データである第２の表示用の画像データを取得し、当該取得した第２の表示用の画像データを前記接続表示装置に表示する
ことを特徴とする請求項５に記載の撮像装置。
【請求項７】
前記表示手段は、
保存用の画像データを第２の表示用の画像データに変換する表示用変換処理を画像データに施す表示用変換手段と、
画像データを前記接続表示装置に表示する画像表示手段と、
を有し、
前記記録処理において、前記表示用変換手段は、第１の表示用の画像データを前記表示用変換処理を施さずに出力し、
前記再生処理において、前記表示用変換手段は、保存用の画像データを前記表示用変換処理を施して出力し、
前記画像表示手段は、前記表示用変換手段から出力された画像データを前記接続表示装置に表示する
ことを特徴とする請求項５に記載の撮像装置。
【請求項８】
前記記録処理を行うか、前記再生処理を行うかを判断する判断手段をさらに有し、
前記処理手段は、前記判断手段の判断結果に応じた処理を行う
ことを特徴とする請求項１〜７のいずれか１項に記載の撮像装置。
【請求項９】
第１の表示用の画像データは、ｓＲＧＢの画像データであり、
保存用の画像データは、ＡＣＥＳの画像データであり、
前記処理手段は、ＲＲＴ処理、ＯＤＴ処理、または、それらの両方を保存用の画像データに施すことにより、保存用の画像データを、第２の表示用の画像データであるｓＲＧＢの画像データに変換する
ことを特徴とする請求項１〜８のいずれか１項に記載の撮像装置。
【請求項１０】
表示装置と接続可能な撮像装置の制御方法であって、
撮像によって撮像データを生成する撮像ステップと、
前記撮像データを第１の表示用の画像データに変換する第１変換ステップと、
前記撮像データを保存用の画像データに変換する第２変換ステップと、
前記撮像装置に接続された表示装置である接続表示装置に第１の表示用の画像データを表示しながら、保存用の画像データを記憶部に記録する記録処理と、前記記憶部に記録された保存用の画像データを前記接続表示装置に表示する再生処理とを行う処理ステップと、
を有し、
保存用の画像データと、第１の表示用の画像データとは、フォーマットが互いに異なり、
前記処理ステップでは、前記再生処理として、前記接続表示装置に表示したときの色再現が第１の表示用の画像データと一致するように、保存用の画像データを第２の表示用の画像データに変換し、当該第２の表示用の画像データを前記接続表示装置に表示する処理を行う
ことを特徴とする撮像装置の制御方法。
【請求項１１】
保存用の画像データと、第１の表示用の画像データとは、色再現範囲、色空間、及び、階調特性の少なくともいずれかが互いに異なる
ことを特徴とする請求項１０に記載の撮像装置の制御方法。
【請求項１２】
保存用の画像データから第２の表示用の画像データへの変換は、保存用の画像データの
画素値と、第２の表示用の画像データの画素値との対応関係に関する情報を用いて行われるものであり、
前記対応関係に関する情報を取得する取得ステップをさらに有し、
前記処理ステップでは、前記取得ステップで取得された前記情報を用いて、保存用の画像データを第２の表示用の画像データに変換する
ことを特徴とする請求項１０または１１に記載の撮像装置の制御方法。
【請求項１３】
前記対応関係は、表示装置に依存するものであり、
前記取得ステップでは、前記対応関係に関する情報を前記接続表示装置から取得する
ことを特徴とする請求項１２に記載の撮像装置の制御方法。
【請求項１４】
前記処理ステップは、
前記記録処理において、保存用の画像データを前記記憶部に記録する記録ステップと、
前記記録処理において、第１の表示用の画像データを前記接続表示装置に表示し、前記再生処理において、保存用の画像データを第２の表示用の画像データに変換し、当該第２の表示用の画像データを前記接続表示装置に表示する表示ステップと、
を有する
ことを特徴とする請求項１０〜１３のいずれか１項に記載の撮像装置の制御方法。
【請求項１５】
前記表示ステップは、
保存用の画像データを第２の表示用の画像データに変換する表示用変換処理を画像データに施す表示用変換ステップと、
画像データを前記接続表示装置に表示する画像表示ステップと、
を有し、
前記記録処理において、前記画像表示ステップでは、前記表示用変換ステップで前記表示用変換処理が施される前の第１の表示用の画像データを取得し、当該第１の表示用の画像データを前記接続表示装置に表示し、
前記再生処理において、前記画像表示ステップは、前記表示用変換ステップで前記表示用変換処理が施された後の保存用の画像データである第２の表示用の画像データを取得し、当該取得した第２の表示用の画像データを前記接続表示装置に表示する
ことを特徴とする請求項１４に記載の撮像装置の制御方法。
【請求項１６】
前記表示ステップは、
保存用の画像データを第２の表示用の画像データに変換する表示用変換処理を画像データに施す表示用変換ステップと、
画像データを前記接続表示装置に表示する画像表示ステップと、
を有し、
前記記録処理において、前記表示用変換ステップでは、第１の表示用の画像データを前記表示用変換処理を施さずに出力し、
前記再生処理において、前記表示用変換ステップでは、保存用の画像データを前記表示用変換処理を施して出力し、
前記画像表示ステップでは、前記表示用変換ステップで出力された画像データを前記接続表示装置に表示する
ことを特徴とする請求項１４に記載の撮像装置の制御方法。
【請求項１７】
前記記録処理を行うか、前記再生処理を行うかを判断する判断ステップをさらに有し、
前記処理ステップでは、前記判断ステップの判断結果に応じた処理を行う
ことを特徴とする請求項１０〜１６のいずれか１項に記載の撮像装置の制御方法。
【請求項１８】
第１の表示用の画像データは、ｓＲＧＢの画像データであり、
保存用の画像データは、ＡＣＥＳの画像データであり、
前記処理ステップでは、ＲＲＴ処理、ＯＤＴ処理、または、それらの両方を保存用の画像データに施すことにより、保存用の画像データを第２の表示用の画像データであるｓＲＧＢの画像データに変換する
ことを特徴とする請求項１０〜１７のいずれか１項に記載の撮像装置の制御方法。
【発明の詳細な説明】
【技術分野】
【０００１】
本発明は、撮像装置及びその制御方法に関する。
【背景技術】
【０００２】
ＨＤＲＩ（ハイダイナミックレンジイメージ）データのフォーマットとして、Ｏｐｅｎ
ＥＸＲが公開されている。
Ｏｐｅｎ  ＥＸＲは、ＲＡＷデータを保存することのできる撮像装置において、保存するＲＡＷデータのフォーマットとして用いることができる。
Ｏｐｅｎ  ＥＸＲは、ｔｈｅ  Ａｃａｄｅｍｙ  ｏｆ  Ｍｏｔｉｏｎ  Ｐｉｃｔｕｒｅ
Ａｒｔｓ  ａｎｄ  ＳｃｉｅｎｃｅｓにＩＩＦ（Ｉｍａｇｅ  Ｉｎｔｅｒｃｈａｎｇｅ
Ｆｒａｍｅｗｏｒｋ）委員会が提案しているオープン標準である。そのため、Ｏｐｅｎ
ＥＸＲを用いることにより、様々な撮像装置の画像処理や、撮像装置に接続される様々な接続装置（例えば、様々な表示装置）の画像処理を施すことのできる画像データを得ることができる。
【０００３】
また、画像データの再生を行う再生装置、画像データの表示を行う表示装置、などの外部装置と接続可能な撮像装置がある。しかしながら、このような撮像装置を１つ以上の外部装置と接続して１つのシステムを構成すると、１つの画像データに同じ画像処理が複数回施されたり、画像データに必要な画像処理が施されなかったりしてしまい、画質の劣化が生じる虞がある。例えば、上記システムにおいて、特定の画像処理を行う機能部を有する装置が複数存在する場合に、１つの画像データに上記特定の画像処理が複数回施されてしまう。
【０００４】
そのような課題を解決するための技術として、特許文献１に開示の技術が提案されている。例えば、特許文献１に開示の再生装置は、色域変換後の画像データである変換後データと、変換後データから色域変換前の画像データである元データを復元する復元処理で使用される復元メタデータとを、ＤＶＤ等のメディアから取得する。また、再生装置は、当該再生装置に接続されている出力装置と通信を行い、出力装置で復元処理が実行可能か否かを判断する。そして、再生装置は、自身の性能と、出力装置で復元処理が実行可能か否かの判断結果とに基づいて、再生装置と出力装置から復元処理を行わせる装置を選択し、再生装置による復元処理の実行／非実行と、出力装置による復元処理の実行／非実行とを制御する。これにより、復元処理が再生装置と出力装置で重複して行われることを抑制することができる。
【０００５】
ここで、装置間の接続に利用されるインタフェースとして、Ｔｈｕｎｄｅｒｂｏｌｔがある。Ｔｈｕｎｄｅｒｂｏｌｔを用いることにより、装置間で、ＰＣＩ  ｅｘｐｒｅｓｓのデータとＤｉｓｐｌａｙ  Ｐｏｒｔのデータとを伝送することができる。そして、Ｔｈｕｎｄｅｒｂｏｌｔを用いることにより、装置間で、Ｏｐｅｎ  ＥＸＲの画像データと、ｓＲＧＢの画像データとを、同時または個別に伝送することができる。
【０００６】
従って、Ｔｈｕｎｄｅｒｂｏｌｔを用いて撮像装置と表示装置が互いに接続された場合、撮像装置は、ライブビュー用の画像データを表示装置に表示しながら、保存用の画像データを記録することができる。具体的には、撮像装置は、ライブビュー用の画像データであるｓＲＧＢの画像データを表示装置に表示しながら、保存用の画像データであるＯｐｅｎ  ＥＸＲの画像データを記録することができる（記録処理）。さらに、撮像装置は、記録したＯｐｅｎ  ＥＸＲの画像データを表示装置に表示することができる（再生処理）。
【０００７】
しかしながら、Ｏｐｅｎ  ＥＸＲの画像データは、ＡＣＥＳ（Ａｃａｄｅｍｙ  Ｃｏｌｏｒ  Ｅｎｃｏｄｉｎｇ  Ｓｐａｃｅ）への色空間変換処理が施された画像データ（ＡＣＥＳの画像データ）である。そのため、保存用の画像データ（ＡＣＥＳの画像データ）は、ライブビュー用の画像データ（ｓＲＧＢの画像データ）とはフォーマットが異なる。その結果、記録処理時と再生処理時とで、表示装置に表示される画像データの色再現が異なり、表示装置に表示される画像データの表示色（画面上の色）や表示輝度（画面上の輝度）が異なってしまう。このような色再現の差異は、ユーザに違和感を抱かせるため、好ましくない。
【０００８】
また、撮像装置や表示装置がＡＣＥＳの画像データをｓＲＧＢの画像データに変換する色空間変換処理（ＡＣＥＳ−ｓＲＧＢ変換処理）を実行可能な場合であっても、従来技術では、記録処理時と再生処理時とで、色再現が異なってしまう。例えば、特許文献１に開示の技術では、処理を行わせる装置を選択することしか行われない。そのため、特許文献１に開示の技術を用いた場合には、保存用の画像データ（ＡＣＥＳの画像データ）だけでなく、ライブビュー用の画像データ（ｓＲＧＢの画像データ）に対してもＡＣＥＳ−ｓＲＧＢ変換処理が施されてしまう。その結果、記録処理時と再生処理時とで、表示装置に表示される画像データの色再現が異なってしまう。なお、Ｏｐｅｎ  ＥＸＲの画像データ（ＡＣＥＳの画像データ）をｓＲＧＢの画像データに変換するためには、表示装置固有のテーブル（ＯＤＴテーブル）が必要である。しかし、特許文献１に開示の技術では、ＯＤＴテーブルの送受信が行われないため、再生装置がＡＣＥＳ−ｓＲＧＢ変換処理を実行することはできない。
【先行技術文献】
【特許文献】
【０００９】
【特許文献１】特開２０１０−２７３２０２号公報
【発明の概要】
【発明が解決しようとする課題】
【００１０】
本発明は、記録処理時と再生処理時との間の、表示装置に表示された画像データの色再現の差異を低減することのできる技術を提供することを目的とする。
【課題を解決するための手段】
【００１１】
本発明の撮像装置は、
表示装置と接続可能な撮像装置であって、
撮像によって撮像データを生成する撮像手段と、
前記撮像データを第１の表示用の画像データに変換する第１変換手段と、
前記撮像データを保存用の画像データに変換する第２変換手段と、
前記撮像装置に接続された表示装置である接続表示装置に第１の表示用の画像データを表示しながら、保存用の画像データを記憶部に記録する記録処理と、前記記憶部に記録された保存用の画像データを前記接続表示装置に表示する再生処理とを行う処理手段と、
を有し、
保存用の画像データと、第１の表示用の画像データとは、フォーマットが互いに異なり、
前記処理手段は、前記再生処理として、前記接続表示装置に表示したときの色再現が第１の表示用の画像データと一致するように、保存用の画像データを第２の表示用の画像データに変換し、当該第２の表示用の画像データを前記接続表示装置に表示する処理を行うことを特徴とする。
【００１２】
本発明の撮像装置の制御方法は、
表示装置と接続可能な撮像装置の制御方法であって、
撮像によって撮像データを生成する撮像ステップと、
前記撮像データを第１の表示用の画像データに変換する第１変換ステップと、
前記撮像データを保存用の画像データに変換する第２変換ステップと、
前記撮像装置に接続された表示装置である接続表示装置に第１の表示用の画像データを表示しながら、保存用の画像データを記憶部に記録する記録処理と、前記記憶部に記録された保存用の画像データを前記接続表示装置に表示する再生処理とを行う処理ステップと、
を有し、
保存用の画像データと、第１の表示用の画像データとは、フォーマットが互いに異なり、
前記処理ステップでは、前記再生処理として、前記接続表示装置に表示したときの色再現が第１の表示用の画像データと一致するように、保存用の画像データを第２の表示用の画像データに変換し、当該第２の表示用の画像データを前記接続表示装置に表示する処理を行う
ことを特徴とする。
【発明の効果】
【００１３】
本発明によれば、記録処理時と再生処理時との間の、表示装置に表示された画像データの色再現の差異を低減することができる。
【図面の簡単な説明】
【００１４】
【図１】実施例１に係る撮像装置の構成の一例を示すブロック図
【図２】実施例１に係るＲＴ・ＯＤＴ制御部の処理の一例を示すフローチャート
【図３】実施例２に係る撮像装置と接続表示装置の構成の一例を示すブロック図
【図４】実施例２に係る撮像装置と表示装置の動作の一例を示すタイムチャート
【発明を実施するための形態】
【００１５】
以下、本発明の実施例に係る撮像装置及びその制御方法について、図面を参照して詳細に説明する。本実施例に係る撮像装置は、表示装置と接続可能な装置である。撮像装置は、例えば、Ｔｈｕｎｄｅｒｂｏｌｔを用いて表示装置に接続される。Ｔｈｕｎｄｅｒｂｏｌｔを用いることにより、装置間で、ＰＣＩ  ｅｘｐｒｅｓｓのデータとＤｉｓｐｌａｙ
Ｐｏｒｔのデータとを伝送することができる。そして、Ｔｈｕｎｄｅｒｂｏｌｔを用いることにより、装置間で、Ｏｐｅｎ  ＥＸＲの画像データと、ｓＲＧＢの画像データとを、同時または個別に伝送することができる。
【００１６】
＜実施例１＞
図１は、本発明の実施例１に係る撮像装置の構成の一例を示すブロック図である。図１に示すように、本実施例に係る撮像装置１は、撮像素子１０、状態管理部１１、Ｏｐｅｎ
ＥＸＲ蓄積部１２、撮像データ処理部１３、ＥＶＦ用画像処理部１４、スケーラ部１５、ＥＶＦ部１６、ＲＴ・ＯＤＴ制御部１７、ＡＣＥＳ部１８、ＲＴ・ＯＤＴ処理部１９、出力選択部２０、などを有する。
【００１７】
撮像素子１０は、撮像によって撮像データを生成する。具体的には、撮像素子１０は、撮像によって得られた光学像を電気信号（撮像データ）に変換し、当該電気信号を撮像データ処理部１３に出力する。
【００１８】
状態管理部１１は、撮像装置１の状態を管理し、撮像装置１で行う処理を判断する。例えば、状態管理部１１は、ユーザ操作、予め設定された処理スケジュール（処理のスケジュール）、などに応じて、撮像装置１で行う処理を判断する。本実施例では、状態管理部１１は、撮像装置１で記録処理を行うか、再生処理を行うかを判断する。記録処理は、撮
像装置１に接続された表示装置である接続表示装置に第１の表示用の画像データを表示しながら、保存用の画像データをＯｐｅｎ  ＥＸＲ蓄積部１２に記録する処理である。再生処理は、Ｏｐｅｎ  ＥＸＲ蓄積部１２に記録された保存用の画像データを接続表示装置に表示する処理である。第１の表示用の画像データは、例えば、ライブビュー用の画像データである。ライブビューは、例えば、撮像現場で撮像を行いながらリアルタイムで撮像データ（撮像データに基づく画像）を確認するための機能である。以後、“第１の表示用の画像データ”を“ライブビュー用の画像データ”と記載する。なお、第１の表示用の画像データは、表示に使用される画像データであればよく、ライブビューで使用される画像データに限らない。また、撮像が行われてから撮像データに基づく画像を表示するまでの時間に多少の遅延が生じるケース、例えば、撮像データに基づく画像を表示する際に使用される種々の信号（データ）の伝送に多少の遅延が生じるケースも、ライブビューに含まれる。
【００１９】
Ｏｐｅｎ  ＥＸＲ蓄積部１２は、保存用の画像データが記憶される記憶部（記憶媒体）である。Ｏｐｅｎ  ＥＸＲ蓄積部１２は、磁気ディスク、光ディスク、半導体メモリなどである。
なお、Ｏｐｅｎ  ＥＸＲ蓄積部１２は、撮像装置１から取り外し不可能な記憶媒体であってもよいし、撮像装置１から取り外し可能な記憶媒体であってもよい。
【００２０】
撮像データ処理部１３は、撮像素子１０が出力した電気信号をライブビュー用の画像データに変換する（第１変換処理）。そして、撮像データ処理部１３は、ライブビュー用の画像データをＥＶＦ用画像処理部１４とＲＴ・ＯＤＴ制御部１７に出力する。本実施例では、電気信号（撮像データ）が、ライブビュー用の画像データであるｓＲＧＢの画像データに変換される。
【００２１】
撮像データ処理部１３とＡＣＥＳ部１８により、撮像素子１０が出力した電気信号が保存用の画像データに変換される（第２変換）。本実施例では、電気信号（撮像データ）が、保存用の画像データであるＡＣＥＳの画像データに変換される。なお、第２変換処理は、記録処理が行われるときにのみ行われてもよい。
具体的には、撮像データ処理部１３は、撮像素子１０が出力した電気信号をＡＣＥＳ部１８が処理可能な画像データに変換し、当該画像データをＡＣＥＳ部１８に出力する。
ＡＣＥＳ部１８は、撮像データ処理部１３が出力した画像データ（ＡＣＥＳ部１８が処理可能な画像データ）を、ＡＣＥＳの画像データに変換する。
【００２２】
なお、撮像データ処理部１３は、撮像素子１０が出力した電気信号に対してキズ補正処理、デモザイク処理などの処理を施す機能を有していてもよい。そして、ライブビュー用の画像データ、及び、保存用の画像データは、キズ補正処理、デモザイク処理などの処理が施された電気信号を変換することにより得られてもよい。
【００２３】
ＡＣＥＳ部１８、ＲＴ・ＯＤＴ制御部１７、ＲＴ・ＯＤＴ処理部１９、及び、出力選択部２０により、記録処理と再生処理が行われる。具体的には、状態管理部１１の判断結果に応じた処理が行われる。
【００２４】
ここで、保存用の画像データと、ライブビュー用の画像データとは、フォーマットが互いに異なる。具体的には、保存用の画像データと、ライブビュー用の画像データとは、色再現範囲、色空間、及び、階調特性の少なくともいずれかが互いに異なる。本実施例では、上述したように、保存用の画像データはＡＣＥＳの画像データであり、ライブビュー用の画像データはｓＲＧＢの画像データである。ＡＣＥＳの画像データの色再現範囲は、ｓＲＧＢの画像データの色再現範囲よりも広い。そのため、再生処理において保存用の画像データをそのまま表示してしまうと、記録処理時と再生処理時とで、表示装置に表示され
る画像データの色再現が異なってしまう。そして、記録処理時と再生処理時とで、表示装置に表示される画像データの表示色（画面上の色）や表示輝度（画面上の輝度）が異なってしまう。このような色再現の差異は、ユーザに違和感を抱かせるため、好ましくない。
【００２５】
そこで、本実施例では、再生処理として、接続表示装置に表示したときの色再現がライブビュー用の画像データと一致するように、保存用の画像データを第２の表示用の画像データに変換し、当該第２の表示用の画像データを接続表示装置に表示する処理を行う。それにより、記録処理時と再生処理時との間の、表示装置に表示された画像データの色再現の差異を低減することができる。以後、“第２の表示用の画像データ”を単に“表示用の画像データ”と記載する。本実施例では、保存用の画像データであるＡＣＥＳの画像データは、表示用の画像データであるｓＲＧＢの画像データに変換される。但し、ライブビュー用の画像データは高速処理可能とするためにビット数が小さくされており、表示用の画像データとして、ライブビュー用の画像データよりもビット数が高い画像データを得ることができる。即ち、表示用の画像データとして、ライブビュー用の画像データよりも階調性が高い画像データを得ることができる。
【００２６】
ＡＣＥＳ部１８は、記録処理において、保存用の画像データをＯｐｅｎ  ＥＸＲ蓄積部１２に記録する。本実施例では、保存用の画像データは、Ｏｐｅｎ  ＥＸＲのフォーマットで記録される。
そして、ＲＴ・ＯＤＴ制御部１７、ＲＴ・ＯＤＴ処理部１９、及び、出力選択部２０により、状態管理部１１の判断結果に応じた画像データを接続表示装置に表示する処理が行われる。具体的には、記録処理において、ライブビュー用の画像データが接続表示装置に表示され、再生処理において、保存用の画像データを表示用の画像データが変換され、当該表示用の画像データが接続表示装置に表示される。
【００２７】
ＲＴ・ＯＤＴ制御部１７は、状態管理部１１の判断結果に応じて、ＲＴ・ＯＤＴ処理部１９と出力選択部２０の処理を制御する。具体的には、ＲＴ・ＯＤＴ制御部１７は、状態管理部１１の判断結果に応じた制御信号を、ＲＴ・ＯＤＴ処理部１９と出力選択部２０に出力する。
また、ＲＴ・ＯＤＴ制御部１７は、記録処理においてライブビュー用の画像データを、再生処理において保存用の画像データ（Ｏｐｅｎ  ＥＸＲ蓄積部１２に記録された保存用の画像データ）を、ＲＴ・ＯＤＴ処理部１９と出力選択部２０に出力する。
なお、ＲＴ・ＯＤＴ制御部１７は、記録処理においてライブビュー用の画像データを出力選択部２０に出力し、再生処理において保存用の画像データをＲＴ・ＯＤＴ処理部１９に出力してもよい。
【００２８】
ＲＴ・ＯＤＴ処理部１９は、ＲＴ・ＯＤＴ制御部１７から出力された画像データに対して、保存用の画像データを表示用の画像データに変換する表示用変換処理を施す。本実施例では、ＲＴ・ＯＤＴ処理部１９は、ＲＴ・ＯＤＴ制御部１７からの制御信号に応じて、表示用変換処理を行う。具体的には、記録処理において、ＲＴ・ＯＤＴ処理部１９は、ライブビュー用の画像データを表示用変換処理を施さずに出力する。そして、再生処理において、ＲＴ・ＯＤＴ処理部１９は、保存用の画像データを表示用変換処理を施して出力する。即ち、再生処理において、ＲＴ・ＯＤＴ処理部１９は、表示用の画像データを出力する。
なお、ＲＴ・ＯＤＴ処理部１９は、記録処理か再生処理かに拘わらず、入力された画像データを表示用変換処理を施して出力してもよい。
【００２９】
表示用変換処理は、例えば、Ｒｅｆｅｒｅｎｃｅ  Ｒｅｎｄｅｒｉｎｇ  Ｔｒａｎｓｆｏｒｍ（ＲＲＴ処理）やＯｕｔｐｕｔ  Ｄｅｖｉｃｅ  Ｔｒａｎｓｆｏｒｍ（ＯＤＴ処理）である。ＲＲＴ処理は、ＡＣＥＳの画像データ（ＲＲＴ処理前の画像データ）をある理
想化された表示デバイスに適合したＯＣＥＳ（Ｏｕｔｐｕｔ  Ｃｏｌｏｒ  Ｅｎｃｏｄｉｎｇ  Ｓｐｅｃｉｆｉｃａｔｉｏｎ）の画像データに変換する基準レンダリング変換処理である。例えば、１Ｄ−ＬＵＴおよび３Ｄ−ＬＵＴを用いた階調変換処理や色補正処理等が含まれる。また、ＯＤＴ処理は、ＲＲＴ処理されたＯＣＥＳの画像データを出力デバイスに応じて変換する出力デバイス変換処理である。例えば、１Ｄ−ＬＵＴを用いた階調変換処理や色空間変換処理等が含まれる。ＲＴ・ＯＤＴ処理部１９は、ＲＲＴ処理、ＯＤＴ処理、または、それらの両方を保存用の画像データに施すことにより、保存用の画像データを表示用の画像データに変換する。ＡＣＥＳの画像データがＲＲＴ処理後の画像データである場合には、ＯＤＴ処理のみを行えばよい。ＡＣＥＳの画像データがＲＲＴ処理前のデータである場合には、ＲＲＴ処理とＯＤＴ処理の両方を行えばよい。但し、ＡＣＥＳの画像データがＲＲＴ処理前のデータであっても、ライブビュー用の画像データが理想化されたデバイスの特性に適合した画像データである場合には、ＲＲＴ処理のみを行えばよい。ＲＲＴ処理やＯＤＴ処理で使用するテーブルは、例えば、撮像装置１内に予め記憶されている。
【００３０】
出力選択部２０は、Ｄｉｓｐｌａｙ  Ｐｏｒｔのデータとして画像データを接続表示装置に出力することにより、当該画像データを接続表示装置に表示（画像表示）する。本実施例では、出力選択部２０は、ＲＴ・ＯＤＴ制御部１７からの制御信号に応じて、ＲＴ・ＯＤＴ制御部１７から出力された画像データと、ＲＴ・ＯＤＴ処理部１９から出力された画像データとの一方を、出力する画像データとして選択する。そして、出力選択部２０は、選択した画像データを接続表示装置に出力する。具体的には、記録処理において、出力選択部２０は、ＲＴ・ＯＤＴ制御部１７から出力されたライブビュー用の画像データ（表示用変換処理が施される前のライブビュー用の画像データ）を選択（取得）する。そして、再生処理において、出力選択部２０は、ＲＴ・ＯＤＴ処理部１９から出力された表示用の画像データ（表示用変換処理が施された後の保存用の画像データである表示用の画像データ）を選択する。
なお、上述したように、本実施例では、ＲＴ・ＯＤＴ処理部１９は、ライブビュー用の画像データを表示用変換処理を施さずに出力する。そのため、出力選択部２０は、記録処理か再生処理かに拘わらず、ＲＴ・ＯＤＴ処理部１９から出力された画像データを接続表示装置に表示してもよい。
【００３１】
ＥＶＦ部１６は、画像データを表示するＥＶＦ（Ｅｌｅｃｔｒｏｎｉｃ  Ｖｉｅｗ  Ｆｉｎｄｅｒ）である。ＥＶＦ部１６は、後述するスケーラ部１５でスケーリング処理が施された画像データを表示する。
ＥＶＦ用画像処理部１４は、ライブビュー用の画像データに対し、ライブビュー用の画像データをＥＶＦ部１６に表示するための画像処理を施す。
スケーラ部１５は、ＥＶＦ用画像処理部１４で画像処理が施された画像データに対して、解像度（サイズ）をＥＶＦ部１６の表示解像度に合わせるスケーリング処理を施す。
【００３２】
（記録処理）
記録処理時の撮像装置１の動作について図２を用いて説明する。図２は、ＲＴ・ＯＤＴ制御部１７の処理の一例を示すフローチャートである。
まず、撮像素子１０が、ユーザ操作（ユーザによる撮像操作）に応じて撮像を行い、撮像によって生成した電気信号（撮像データ）を撮像データ処理部１３に出力する。なお、撮像素子１０は、予め設定された処理スケジュールに応じて撮像を行ってもよいし、状態管理部１１の判断結果（記録処理を行うという判断結果）に応じて撮像を行ってもよい。
【００３３】
次に、撮像データ処理部１３が、撮像素子１０が出力した電気信号をライブビュー用の画像データに変換し、ライブビュー用の画像データをＥＶＦ用画像処理部１４とＲＴ・ＯＤＴ制御部１７に出力する。また、撮像データ処理部１３は、撮像素子１０が出力した電
気信号をＡＣＥＳ部１８が処理可能な画像データに変換し、当該画像データをＡＣＥＳ部１８に出力する。
【００３４】
そして、ＡＣＥＳ部１８が、撮像データ処理部１３が出力した画像データ（ＡＣＥＳ部１８が処理可能な画像データ）を、ＡＣＥＳの画像データに変換し、ＡＣＥＳの画像データをＯｐｅｎ  ＥＸＲのフォーマットでＯｐｅｎ  ＥＸＲ蓄積部１２に記録する。
【００３５】
また、記録処理を行う際には、
・ＥＶＦ部１６にライブビュー用の画像データを表示する処理
・接続表示装置にライブビュー用の画像データを表示する処理
が行われる。ユーザは、ＥＶＦ部１６や接続表示装置に表示された画像を見ることにより、記録する画像データを確認し、ピント、被写体位置、撮像範囲、明るさ、色味などの撮像条件を調整することができる。
【００３６】
１つ目の処理では、ＥＶＦ用画像処理部１４が、ライブビュー用の画像データに対し、ライブビュー用の画像データをＥＶＦ部１６に表示するための画像処理を施す。次に、スケーラ部１５が、ＥＶＦ用画像処理部１４で画像処理が施された画像データに対して、解像度（サイズ）をＥＶＦ部１６の表示解像度に合わせるスケーリング処理を施す。そして、ＥＶＦ部１６が、後述するスケーラ部１５でスケーリング処理が施された画像データを表示する。
【００３７】
２つ目の処理の前処理として、以下の処理が行われる。
まず、ＲＴ・ＯＤＴ制御部１７が、状態管理部１１から判断結果（記録処理を行うか、再生処理を行うかの判断結果）を取得する（Ｓ２０１）。ここでは、記録処理を行うと判断されているため（Ｓ２０２：Ｙｅｓ）、Ｓ２０３に処理が進められる。
Ｓ２０３では、ＲＴ・ＯＤＴ制御部１７が、ＲＴ・ＯＤＴ制御部１７から出力されたライブビュー用の画像データ（表示用変換処理が施される前のライブビュー用の画像データ）の選択を出力選択部２０に指示する。
【００３８】
それにより、２つ目の処理として、ライブビュー用の画像データを表示用変換処理を施さずに表示する処理が行われることとなる。具体的には、出力選択部２０において、ＲＴ・ＯＤＴ制御部１７から出力されたライブビュー用の画像データ（表示用変換処理が施される前のライブビュー用の画像データ）が選択され、接続表示装置に出力される。
【００３９】
（再生処理）
再生処理時の撮像装置１の動作について図２を用いて説明する。
まず、ＲＴ・ＯＤＴ制御部１７が、ユーザ操作に応じて、記録された保存用の画像データをＯｐｅｎ  ＥＸＲ蓄積部１２から読み出す。なお、ＲＴ・ＯＤＴ制御部１７は、予め設定された処理スケジュールに応じて保存用の画像データを読み出してもよいし、状態管理部１１の判断結果（再生処理を行うという判断結果）に応じて保存用の画像データを読み出してもよい。
そして、読み出した保存用の画像データを接続表示装置に表示する処理が行われる。
【００４０】
読み出した保存用の画像データを接続表示装置に表示する処理の前処理として、以下の処理が行われる。なお、当該前処理は、保存用の画像データをＯｐｅｎ  ＥＸＲ蓄積部１２から読み出す処理よりも前に行われてもよいし、後に行われてもよい。また、当該前処理は、保存用の画像データをＯｐｅｎ  ＥＸＲ蓄積部１２から読み出す処理と並列に行われてもよい。
まず、ＲＴ・ＯＤＴ制御部１７が、状態管理部１１から判断結果（記録処理を行うか、再生処理を行うかの判断結果）を取得する（Ｓ２０１）。ここでは、再生処理を行うと判
断されているため（Ｓ２０２：Ｎｏ）、Ｓ２０４に処理が進められる。
Ｓ２０４では、ＲＴ・ＯＤＴ制御部１７が、ＲＴ・ＯＤＴ処理部１９から出力された表示用の画像データ（表示用変換処理が施された後の保存用の画像データ）の選択を出力選択部２０に指示する。
次に、ＲＴ・ＯＤＴ制御部１７が、表示用変換処理の実行をＲＴ・ＯＤＴ処理部１９に指示する。
【００４１】
それにより、読み出した保存用の画像データを接続表示装置に表示する処理として、読み出した保存用の画像データを表示用変換処理を施して表示する処理が行われることとなる。具体的には、出力選択部２０において、ＲＴ・ＯＤＴ処理部１９から出力された表示用の画像データ（表示用変換処理が施された後の保存用の画像データ）が選択され、接続表示装置に出力される。
【００４２】
なお、上述した前処理（接続表示装置にライブビュー用の画像データや保存用の画像データを表示する処理の前処理）は、例えば、所定時間おきに繰り返し行われる。また、上述した前処理は、ユーザ操作や処理スケジュールに応じて撮像装置１の状態が変更された場合に行われてもよい。例えば、上述した前処理は、ユーザによって記録処理を開始する操作が行われた場合、ユーザによって記録処理を停止する操作が行われた場合、などに行われる。また、上述した前処理は、ユーザによって再生処理を開始する操作が行われた場合、ユーザによって再生処理を停止する操作が行われた場合、などに行われる。
【００４３】
以上述べたように、本実施例によれば、再生処理において、接続表示装置に表示したときの色再現がライブビュー用の画像データと一致するように保存用の画像データが表示用の画像データに変換される。そして、表示用の画像データが接続表示装置に表示される。それにより、記録処理時と再生処理時との間の、表示装置に表示された画像データの色再現の差異を低減することができる。
【００４４】
なお、本実施例では、記録処理時にライブビュー用の画像データが接続表示装置に表示される例を説明したが、これに限らない。ライブビュー用の画像データは、記録処理時に必ずしも接続表示装置に表示されなくてもよい。また、ライブビュー用の画像データは、記録処理時以外に接続表示装置に表示されてもよい。例えば、記録処理も再生処理も行わないときに、ライブビュー用の画像データが接続表示装置に表示されてもよい。
【００４５】
なお、撮像データをライブビュー用の画像データに変換する処理と、撮像データをＡＣＥＳ部１８が処理可能な画像データに変換する処理とは、異なる機能部によって行われてもよい。例えば、ＡＣＥＳ部１８が撮像データをＡＣＥＳの画像データに変換してもよい。
また、ＡＣＥＳの画像データを記録する処理（ＡＣＥＳ部１８の処理）、ＲＴ・ＯＤＴ制御部１７の処理、ＲＴ・ＯＤＴ処理部１９の処理、及び、出力選択部２０の処理は、４つより少ない機能部で行われてもよい。例えば、ＡＣＥＳの画像データを記録する処理、ＲＴ・ＯＤＴ制御部１７の処理、ＲＴ・ＯＤＴ処理部１９の処理、及び、出力選択部２０の処理は、１つの機能部で行われてもよい。ＲＴ・ＯＤＴ制御部１７の処理、ＲＴ・ＯＤＴ処理部１９の処理、及び、出力選択部２０の処理は、１つの機能部で行われてもよい。
【００４６】
なお、ライブビュー用の画像データはｓＲＧＢの画像データに限らない。例えば、ライブビュー用の画像データは、ＩＴＵ−Ｒ  ＢＴ．７０９の画像データであってもよい。同様に、保存用の画像データはＡＣＥＳの画像データに限らない。また、表示用変換処理は、ＲＲＴ処理やＯＤＴ処理に限らない。表示用変換処理は、接続表示装置に表示したときの色再現がライブビュー用の画像データと一致するように、保存用の画像データを表示用の画像データに変換する処理であれば、どのような処理であってもよい。
【００４７】
なお、変換パラメータ保存用の画像データの画素値と、表示用の画像データの画素値との対応関係に関する情報は、テーブルに限らない。例えば、上記対応関係に関する情報は、変換パラメータ保存用の画像データの画素値と、表示用の画像データの画素値との対応関係を表す関数であってもよい。
【００４８】
なお、撮像装置１は、接続表示装置をＥＶＦとして利用することが前提の装置である場合には、ＥＶＦ用画像処理部１４、スケーラ部１５、及び、ＥＶＦ部１６を有していなくてもよい。
【００４９】
なお、本実施例では、撮像装置と表示装置がＴｈｕｎｄｅｒｂｏｌｔ接続される例を示したが、これに限らない。例えば、撮像装置と表示装置は、Ｄｉｓｐｌａｙ  Ｐｏｒｔ規格のケーブルを用いてＤｉｓｐｌａｙ  Ｐｏｒｔ接続され、且つ、ＰＣＩ  ｅｘｐｒｅｓｓ規格のケーブルを用いてＰＣＩ  ｅｘｐｒｅｓｓ接続されてもよい。また、撮像装置と表示装置は、Ｄｉｓｐｌａｙ  Ｐｏｒｔ接続とＰＣＩ  ｅｘｐｒｅｓｓ接続のうちのいずれかの接続方法で接続されてもよい。撮像装置と表示装置はＤｉｓｐｌａｙ  ＰｏｒｔやＰＣＩ  ｅｘｐｒｅｓｓ以外の規格のケーブルを用いて接続されてもよい。
【００５０】
＜実施例２＞
実施例１では、表示用変換処理が、保存用の画像データの画素値と、表示用の画像データの画素値との対応関係に関する情報を用いて行われるものであり、当該対応関係に関する情報が撮像装置内に予め記憶されている例を説明した。具体的には、ＲＲＴ処理やＯＤＴ処理で使用されるテーブルが撮像装置内に予め記憶されている例を説明した。しかしながら、上記対応関係は表示装置に依存するため、上記対応関係に関する情報を接続表示装置に応じて変更することが望ましい。例えば、表示用の画像データのビット数は表示装置に依存するため、ＯＤＴ処理で使用されるテーブル（ＯＤＴテーブル）も表示装置に依存する。そのため、ＯＤＴテーブルを接続表示装置に応じて変更することが望ましい。実施例２では、上記対応関係に関する情報を接続表示装置に応じて変更することのできる構成について説明する。
なお、実施例１と同様の処理については説明を省略する。
【００５１】
図３は、本発明の実施例２に係る撮像装置と接続表示装置の構成の一例を示すブロック図である。図３の例では、撮像装置１は実施例１（図１）と同様の構成を有する。そして、撮像装置１は、表示装置２に接続されている。表示装置２は、ＯＤＴテーブル送信部２１、ＲＴ・ＯＤＴ処理部２２、パネル系画像処理部２３、表示パネル２４、などを有する。
【００５２】
ＯＤＴテーブル送信部２１は、保存用の画像データの画素値と、表示用の画像データの画素値との対応関係に関する情報をＲＴ・ＯＤＴ制御部１７へ送信する。換言すれば、ＲＴ，ＯＤＴ制御部１７は、上記対応関係に関する情報を表示装置２（接続表示装置）から取得する。本実施例では、ＯＤＴテーブル送信部２１は、ＲＴ・ＯＤＴ処理部２２でのＯＤＴ処理に必要なＯＤＴテーブルをＲＴ・ＯＤＴ制御部１７へ送信する。ＯＤＴテーブルは、表示装置固有のテーブルであるため、撮像装置に予め記憶することができないことがある。
【００５３】
ＲＴ・ＯＤＴ処理部２２は、表示用変換処理を画像データに施す。本実施例では、ＰＣＩ  ｅｘｐｒｅｓｓのデータとして、記録された保存用の画像データを表示装置２に出力して表示することができる。ＲＴ・ＯＤＴ処理部２２は、ＰＣＩ  ｅｘｐｒｅｓｓのデータである保存用の画像データに対し表示用変換処理を施すことにより、表示用の画像データを生成し、パネル系画像処理部２３に出力する。本実施例では、ＲＴ・ＯＤＴ処理部２
２は、ＰＣＩ  ｅｘｐｒｅｓｓのデータである保存用の画像データ（ＲＲＴ処理前のＡＣＥＳの画像データ）に対しＲＲＴ処理とＯＤＴ処理を施すことにより、表示用の画像データを生成する。
【００５４】
パネル系画像処理部２３は、入力された画像データ（Ｄｉｓｐｌａｙ  Ｐｏｒｔのデータとして入力された画像データ、または、ＲＴ・ＯＤＴ処理部２２から入力された画像データ）に対して、表示パネル２４の表示特性に応じた画像処理を施す。そして、パネル系画像処理部２３は、画像処理が施された画像データを、表示パネル２４に出力する。画像処理は、γ調整処理や画素毎の輝度調整処理である。
【００５５】
表示パネル２４は、パネル系画像処理部２３から入力された画像データを表示する表示パネルである。表示パネル２４は、例えば、液晶ディスプレイパネル、プラズマディスプレイパネル、有機ＥＬディスプレイパネル、などである。
【００５６】
本実施例に係る撮像装置１と表示装置２の動作の一例について、図４のタイムチャートを用いて説明する。
まず、時刻Ｔ１において、撮像装置１が表示装置２に接続される。このとき、表示装置２は、撮像装置１が接続されたことを検知する。
次に、時刻Ｔ２において、表示装置２のＯＤＴテーブル送信部２１が撮像装置１に対して表示用変換処理（ＲＲＴ処理とＯＤＴ処理）を実行する機能を有するか否かを問い合わせる。
そして、時刻Ｔ３において、撮像装置１のＲＴ・ＯＤＴ制御部１７が、上記問い合わせに対する応答を行う。本実施例では、表示用変換処理（ＲＲＴ処理とＯＤＴ処理）を実行する機能を有する旨が表示装置２に通知される。
次に、時刻Ｔ４において、表示装置２のＯＤＴテーブル送信部２１がＲＴ・ＯＤＴ処理部２２からＯＤＴテーブルを読み出す。
そして、時刻Ｔ５において、表示装置２のＯＤＴテーブル送信部２１が、撮像装置１のＲＴ・ＯＤＴ制御部１７対してＯＤＴテーブルを送信する。
次に、時刻Ｔ６において、撮像装置１のＲＴ・ＯＤＴ制御部１７が、ＯＤＴテーブルを受信し、ＲＴ・ＯＤＴ処理部１９へＯＤＴテーブルを送信する。これにより、撮像装置１のＲＴ・ＯＤＴ処理部１９では、ＲＴ・ＯＤＴ制御部１７で受信されたＯＤＴテーブルを用いたＯＤＴ処理が行われることとなる。即ち、撮像装置１では、表示装置２から取得された情報（保存用の画像データの画素値と、表示用の画像データの画素値との対応関係に関する情報）を用いて、表示装置２と同じ表示用変換処理（具体的にはＯＤＴ処理）が行われることとなる。なお、ＯＤＴテーブルの格納先は、ＲＴ・ＯＤＴ制御部１７でなくてもよい。撮像装置１は、表示装置２から取得したＯＤＴテーブルを記憶する記憶部（記憶媒体）を有していてもよい。
【００５７】
以上述べたように、本実施例によれば、保存用の画像データの画素値と、表示用の画像データの画素値との対応関係に関する情報（具体的にはＯＤＴテーブル）が外部から取得される。それにより、接続表示装置に適した表示用変換処理を行うことが可能となり、記録処理時と再生処理時との間の、表示装置に表示された画像データの色再現の差異をより確実に低減することが可能となる。具体的には、接続表示装置に依存せずに上記差異を低減することができる。
【００５８】
なお、保存用の画像データの画素値と、表示用の画像データの画素値との対応関係に関する情報の取得は、ＲＴ・ＯＤＴ制御部１７とは異なる機能部によって行われてもよい。例えば、撮像装置１が、保存用の画像データの画素値と、表示用の画像データの画素値との対応関係に関する情報の取得する取得部を有していてもよい。
【００５９】
なお、本実施例では、表示装置が、撮像装置が接続されたことを検知し、情報（保存用の画像データの画素値と、表示用の画像データの画素値との対応関係に関する情報）を出力する例を説明したが、これに限らない。例えば、撮像装置が、表示装置が接続されたことを検知し、表示装置に上記情報の送信を指示してもよい。そして、表示装置が、当該指示に応じて上記情報を出力してもよい。
【００６０】
なお、本実施例では、保存用の画像データの画素値と、表示用の画像データの画素値との対応関係に関する情報が接続表示装置から取得される例を示したが、これに限らない。例えば、上記情報は、表示装置毎に上記情報を管理する管理装置から取得されてもよい。具体的には、上記情報は、ユーザ操作に応じて上記管理装置から取得されてもよい。また、接続表示装置から当該接続表示装置の識別情報を取得し、当該接続表示装置（識別情報で表される表示装置）に対応する情報が、上記管理装置から取得されてもよい。
【符号の説明】
【００６１】
１：撮像装置、１０：撮像素子、１２：Ｏｐｅｎ  ＥＸＲ蓄積部、１３：撮像データ処理部、１７：ＲＴ・ＯＤＴ制御部、１８：ＡＣＥＳ部、１９：ＲＴ・ＯＤＴ処理部、２０：出力選択部
【図１】
2014216876.tif 000003
【図２】
2014216876.tif 000004
【図３】
2014216876.tif 000005
【図４】
2014216876.tif 000006